Podtech/llm-jp-corpus-v4-ja_patent huggingface dataset:
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
粗大フラクションを実質的に含んでなる第一の活性成分と、微細フラクションを実質的に含んでなる第二の活性成分との有効量を含むバイモーダル医薬組成物であって、該粗大フラクションは、該微細フラクションより大きいマスメジアン空気動力学的粒径（ＭＭＡＤ）を有し、前記実質的に粗大なフラクションが、患者の中央気道／上部気道で活性である物質を含むバイモーダル医薬組成物。
【請求項２】
前記実質的に粗大なフラクションの空気力学的粒径は、４〜２０μｍであることを特徴とする、請求項１に記載のバイモーダル医薬組成物。
【請求項３】
前記粗大粒子の少なくとも５０％ｗ／ｗは、４〜２０μｍの空気力学的粒径を有することを特徴とする、請求項２に記載のバイモーダル医薬組成物。
【請求項４】
前記実質的に微細なフラクションの空気力学的粒径は、１〜４μｍであることを特徴とする、請求項１に記載のバイモーダル医薬組成物。
【請求項５】
前記微細粒子の少なくとも５０％ｗ／ｗは、１〜４μｍの空気力学的粒径を有することを特徴とする、請求項４に記載のバイモーダル医薬組成物。
【請求項６】
前記組成物は、シグナル物質を含むことを特徴とする、請求項１に記載のバイモーダル組成物。
【請求項７】
前記シグナル物質は、前記粗大フラクションに含まれることを特徴とする、請求項６に記載のバイモーダル組成物。
【請求項８】
前記粗大シグナル物質は、トリモーダル組成物を形成することを特徴とする、請求項７に記載のバイモーダル組成物。
【請求項９】
前記実質的に微細なフラクションは、肺末梢で活性である薬剤を含むことを特徴とする、請求項１に記載のバイモーダル医薬組成物。
【請求項１０】
前記実質的に微細なフラクションは、抗炎症剤を含むことを特徴とする、請求項１に記載のバイモーダル医薬組成物。
【請求項１１】
前記実質的に粗大なフラクションは、気管支拡張薬を含むことを特徴とする、請求項１に記載のバイモーダル医薬組成物。
【請求項１２】
前記抗炎症剤はコルチコステロイドであることを特徴とする、請求項１０に記載のバイモーダル医薬組成物。
【請求項１３】
前記実質的に微細なフラクションは、抗生物質と高分子薬剤との一以上から選択されることを特徴とする、請求項１に記載のバイモーダル医薬組成物。
【請求項１４】
前記高分子薬剤は、インシュリン、成長ホルモン、ロイプロリド、インターフェロン及び上皮小体ホルモンから選択される一以上のポリペプチドから選択されることを特徴とする、請求項１３に記載のバイモーダル医薬組成物。
【請求項１５】
前記高分子薬剤は、モルヒネ、Ｍ６Ｇ及びフェンタニールから選択される鎮痛性化合物である請求項１３に記載のバイモーダル医薬組成物。
【請求項１６】
前記組成物は、吸収促進剤を含むことを特徴とする、請求項１に記載のバイモーダル医薬組成物。
【請求項１７】
少なくとも１つの好適な噴射剤と混合された医薬組成物を含む、加圧エアロゾールにより投与するのに好適な、請求項１に記載のバイモーダル医薬製剤。
【請求項１８】
前記医薬組成物を含む、ドライパウダー式吸入器により投与するのに好適な、請求項１に記載のバイモーダル医薬組成物。
【請求項１９】
請求項１に記載の医薬組成物を含有するドライパウダー式吸入器。
【請求項２０】
患者に投与可能な一回の投薬量は、３〜２００μｇの粗大フラクションと、２０〜１０００μｇの微細フラクションとを含むことを特徴とする、請求項１に記載のバイモーダル医薬組成物。
【請求項２１】
請求項１に記載の医薬組成物の懸濁液を含む、ネブライザーにより投与するのに好適なバイモーダル医薬組成物。
【請求項２２】
前記投与される投薬量は、１μｇ〜５００ｍｇの範囲であることを特徴とする、請求項２１に記載のバイモーダル医薬組成物。
【請求項２３】
治療に有効な量の実質的に微細な活性成分を患者の肺に送達する方法であって、実質的に粗大な活性成分と同時投与することによる方法。
【請求項２４】
前記実質的に粗大なフラクションは患者の中央気道又は上部気道に供給され、前記実質的に微細なフラクションは肺末梢に供給されることを特徴とする、請求項２３に記載の方法。
【請求項２５】
呼吸障害を治療する方法であって、気管支拡張薬の実質的に粗大なフラクションと抗炎症剤の実質的に微細なフラクションとの治療に有効な量を、そのような疾患の患者に、同時に、連続的に又は別個に投与するステップを含む方法。
【請求項２６】
前記粗大フラクションと微細フラクションとは、単一の組成物として投与されることを特徴とする、請求項２５に記載の方法。
【請求項２７】
請求項１に記載のバイモーダル医薬組成物の製造方法であって、実質的に粗大なフラクションの活性成分と実質的に微細なフラクションの活性成分とを混合するステップと、任意選択的に、製薬学的に許容可能なアジュバント、希釈剤又はキャリアを同時に又は連続して混合するステップとを含む方法。
【手続補正２】
【補正対象書類名】明細書
【補正対象項目名】０００５
【補正方法】変更
【補正の内容】
【０００５】
もう１つの中間公開である、国際特許出願番号ＷＯ０１／５１０３０には、肺に供給するための微細粒子と胃腸管（GI tract）に供給するための粗大粒子とを含む「バイモーダル（bimodal）」製剤が記載されている。しかしながら、そのようなバイモーダル組成物は、吸入治療自体になんら特別の改良を提供するものではない。
フランス国特許番号第2584604号には、微細な粉末（＜１００μｍ）と粗い結晶（５００−７００μｍ）とを含む経口、経腸、投与のための新規な医薬投与形態が記載されている。しかし、このような組成物は、例えば吸入による投与には好適ではない。
国際特許出願番号ＷＯ９８／３１３５２には、例えば、微粉化したフマル酸フォルモテロール無水物（ＭＭＤ＜３μｍ）と、微粉化したブデソニド（粒子サイズ＜３μｍ）の混合物を含む吸入療法を記載している。
【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
静脈内に投与可能で、かつ、モノクローナルIgG抗MAG抗体を含む、虚血性脳卒中の治療薬。
【請求項２】
抗体が、キメラ抗体、ヒト抗体、ヒト化抗体、からなる群から選択される、請求項１に記載の治療薬。
【請求項３】
ヒトにおける虚血性脳卒中の治療のための、請求項１又は２に記載の治療薬。
【請求項４】
抗体がIgG１抗体である、請求項１〜３のいずれか１項に記載の治療薬。
【請求項５】
薬学的に許容し得る担体を含む、請求項１〜４のいずれか１項に記載の治療薬。
【手続補正書】
【提出日】平成16年7月30日(2004.7.30)
【手続補正１】
【補正対象書類名】明細書
【補正対象項目名】請求項１６
【補正方法】変更
【補正の内容】
【請求項１６】  組成物の約0.05〜約5.00重量％の量のコレステロール硫酸またはその塩と、約0.1〜約10.0重量％の、N-アセチル-D-グルコサミン、N-アセチルガラクトサミン、およびそれらの組合せからなる群から選択されるアミノ糖とを含有する、皮膚に局所適用することにより健康な皮膚バリアを改善または維持するための混合物。
【手続補正２】
【補正対象書類名】明細書
【補正対象項目名】請求項１７
【補正方法】変更
【補正の内容】
【請求項１７】  約0.1〜約2.0％のコレステロール硫酸を含んでなる、請求項１６に記載の混合物。
【手続補正３】
【補正対象書類名】明細書
【補正対象項目名】請求項１８
【補正方法】変更
【補正の内容】
【請求項１８】  約0.04〜約1.00％のコレステロール硫酸を含んでなる、請求項１６に記載の混合物。
【手続補正４】
【補正対象書類名】明細書
【補正対象項目名】請求項１９
【補正方法】変更
【補正の内容】
【請求項１９】  組成物の約0.05〜約5.00重量％の量のコレステロール硫酸またはその塩と、約0.1〜約10.0重量％の、N-アセチル-D-グルコサミン、N-アセチルガラクトサミン、およびそれらの組合せからなる群から選択されるアミノ糖とを含有する混合物であって、有効量の混合物を皮膚に適用することにより、皮膚バリア機能の低下または喪失と関連する皮膚の損傷を治療または予防するための該混合物。
【手続補正５】
【補正対象書類名】明細書
【補正対象項目名】請求項２０
【補正方法】変更
【補正の内容】
【請求項２０】  組成物の約0.1〜2.0重量％の量のコレステロール硫酸またはその塩、約0.5〜8.0重量％のN-アセチル-D-グルコサミン、約0.2〜1.0重量％の量のコレステロール、約0.2〜1.0重量％の量のリノール酸、約0.001〜約1.000重量％の量のスクラレオライド、および約0.001〜約1.000重量％のシラカバをさらに含んでなる、請求項１９に記載の混合物。
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
治療上有効な量の、式（Ｉ）および式（ＩＩ）：
【化１】
2004523556.tif 000001
［式中、
フェニルは、フッ素、塩素、臭素およびヨウ素よりなる群から選択される１ないし５個のハロゲン原子でＸにおいて置換されており；そして
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される化合物を含んで成る、精神病性障害の予防もしくは治療のための医薬組成物。
【請求項２】
Ｘが塩素である、請求項１の組成物。
【請求項３】
Ｘがフェニル環のオルト位で置換される、請求項１の組成物。
【請求項４】
Ｒ1、Ｒ2、Ｒ3、Ｒ4、Ｒ5およびＲ6が水素から選択される、請求項１の組成物。
【請求項５】
治療上有効な量の式（Ｉ）および式（ＩＩ）よりなる群から選択される１種の鏡像異性体、または式（Ｉ）および式（ＩＩ）よりなる群から選択される一方の鏡像異性体が優勢を占める鏡像異性体の混合物：
【化２】
2004523556.tif 000002
［式中、
フェニルは、フッ素、塩素、臭素およびヨウ素よりなる群から選択される１ないし５個のハロゲン原子でＸにおいて置換されており；そして
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
を含んで成る、精神病性障害の予防もしくは治療のための医薬組成物。
【請求項６】
Ｘが塩素である、請求項５の組成物。
【請求項７】
Ｘがフェニル環のオルト位で置換される、請求項５の組成物。
【請求項８】
Ｒ1、Ｒ2、Ｒ3、Ｒ4、Ｒ5およびＲ6が水素から選択される、請求項５の組成物。
【請求項９】
式（Ｉ）および式（ＩＩ）よりなる群から選択される一方の鏡像異性体が約９０％もしくはそれ以上の程度まで優勢を占める、請求項５の組成物。
【請求項１０】
式（Ｉ）および式（ＩＩ）よりなる群から選択される一方の鏡像異性体が約９８％もしくはそれ以上の程度まで優勢を占める、請求項５の組成物。
【請求項１１】
式（Ｉ）および式（ＩＩ）よりなる群から選択される鏡像異性体が、式（Ｉａ）および式（ＩＩａ）：
【化３】
2004523556.tif 000003
［式中、
フェニルは、フッ素、塩素、臭素およびヨウ素よりなる群から選択される１ないし５個のハロゲン原子でＸにおいて置換されており；そしてＲ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される１種の鏡像異性体である、請求項５の組成物。
【請求項１２】
Ｘが塩素である、請求項１１の組成物。
【請求項１３】
Ｘがフェニル環のオルト位で置換される、請求項１１の組成物。
【請求項１４】
Ｒ1、Ｒ2、Ｒ3、Ｒ4、Ｒ5およびＲ6が水素から選択される、請求項１１の組成物。
【請求項１５】
式（Ｉａ）および式（ＩＩａ）よりなる群から選択される一方の鏡像異性体が約９０％もしくはそれ以上の程度まで優勢を占める、請求項１１の組成物。
【請求項１６】
式（Ｉａ）および式（ＩＩａ）よりなる群から選択される一方の鏡像異性体が約９８％もしくはそれ以上の程度まで優勢を占める、請求項１１の組成物。
【請求項１７】
式（Ｉ）および式（ＩＩ）よりなる群から選択される鏡像異性体が、式（Ｉｂ）および式（ＩＩｂ）：
【化４】
2004523556.tif 000004
よりなる群から選択される１種の鏡像異性体である、請求項５の組成物。
【請求項１８】
式（Ｉｂ）および式（ＩＩｂ）よりなる群から選択される一方の鏡像異性体が約９０％もしくはそれ以上の程度まで優勢を占める、請求項１７の組成物。
【請求項１９】
式（Ｉｂ）および式（ＩＩｂ）よりなる群から選択される一方の鏡像異性体が約９８％もしくはそれ以上の程度まで優勢を占める、請求項１７の組成物。
【請求項２０】
精神病性障害が、精神分裂病、分裂病型障害、分裂感情性障害、妄想性障害、単純（ｂｒｉｅｆ）精神病性障害、共有（ｓｈａｒｅｄ）精神病性障害、一般の医学的症状による精神病性障害、物質に誘導される精神病性障害もしくは他に特定されない精神病性障害から選択される、請求項１もしくは５記載の組成物。
【請求項２１】
精神分裂病が、妄想型精神分裂病、破瓜型分裂病、緊張型分裂病、未分化分裂病、精神分裂病後鬱病、残遺分裂病、単純型分裂病もしくは不特定分裂病から選択される、請求項２０の組成物。
【請求項２２】
治療上有効な量が約０．０１ｍｇ／ｋｇ／用量ないし約１００ｍｇ／ｋｇ／用量である、請求項１もしくは５記載の組成物。
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
治療上有効な量の、式（Ｉ）および式（ＩＩ）：
【化１】
2004523554.tif 000001
［式中、
フェニルは、フッ素、塩素、臭素およびヨウ素よりなる群から選択される１ないし５個のハロゲン原子でＸにおいて置換され；ならびに
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される化合物を含んで成る、
不安障害の予防もしくは治療のための医薬組成物。
【請求項２】
Ｘが塩素である、請求項１の組成物。
【請求項３】
Ｘがフェニル環のオルト位で置換される、請求項１の組成物。
【請求項４】
Ｒ1、Ｒ2、Ｒ3、Ｒ4、Ｒ5およびＲ6が水素から選択される、請求項１の組成物。
【請求項５】
治療上有効な量の式（Ｉ）および式（ＩＩ）よりなる群から選択される１種の鏡像異性体、または式（Ｉ）および式（ＩＩ）よりなる群から選択される一方の鏡像異性体が優勢を占める鏡像異性体の混合物：
【化２】
2004523554.tif 000002
［式中、
フェニルは、フッ素、塩素、臭素およびヨウ素よりなる群から選択される１ないし５個のハロゲン原子でＸにおいて置換され；ならびに
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
を含んで成る、不安障害の予防もしくは治療のための医薬組成物。
【請求項６】
Ｘが塩素である、請求項５の組成物。
【請求項７】
Ｘがフェニル環のオルト位で置換される、請求項５の組成物。
【請求項８】
Ｒ1、Ｒ2、Ｒ3、Ｒ4、Ｒ5およびＲ6が水素から選択される、請求項５の組成物。
【請求項９】
式（Ｉ）および式（ＩＩ）よりなる群から選択される一方の鏡像異性体が約９０％もしくはそれ以上の程度まで優勢を占める、請求項５の組成物。
【請求項１０】
式（Ｉ）および式（ＩＩ）よりなる群から選択される一方の鏡像異性体が約９８％もしくはそれ以上の程度まで優勢を占める、請求項５の組成物。
【請求項１１】
式（Ｉ）および式（ＩＩ）よりなる群から選択される鏡像異性体が、式（Ｉａ）および式（ＩＩａ）：
【化３】
2004523554.tif 000003
［式中、
フェニルは、フッ素、塩素、臭素およびヨウ素よりなる群から選択される１ないし５個のハロゲン原子でＸにおいて置換され；ならびに
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される１種の鏡像異性体である、請求項５の組成物。
【請求項１２】
Ｘが塩素である、請求項１１の組成物。
【請求項１３】
Ｘがフェニル環のオルト位で置換される、請求項１１の組成物。
【請求項１４】
Ｒ1、Ｒ2、Ｒ3、Ｒ4、Ｒ5およびＲ6が水素から選択される、請求項１１の組成物。
【請求項１５】
式（Ｉａ）および式（ＩＩａ）よりなる群から選択される一方の鏡像異性体が約９０％もしくはそれ以上の程度まで優勢を占める、請求項１１の組成物。
【請求項１６】
式（Ｉａ）および式（ＩＩａ）よりなる群から選択される一方の鏡像異性体が約９８％もしくはそれ以上の程度まで優勢を占める、請求項１１の組成物。
【請求項１７】
式（Ｉ）および式（ＩＩ）よりなる群から選択される鏡像異性体が、式（Ｉｂ）および式（ＩＩｂ）：
【化４】
2004523554.tif 000004
よりなる群から選択される１種の鏡像異性体である、請求項５の組成物。
【請求項１８】
式（Ｉｂ）および式（ＩＩｂ）よりなる群から選択される一方の鏡像異性体が約９０％もしくはそれ以上の程度まで優勢を占める、請求項１７の組成物。
【請求項１９】
式（Ｉｂ）および式（ＩＩｂ）よりなる群から選択される一方の鏡像異性体が約９８％もしくはそれ以上の程度まで優勢を占める、請求項１７の組成物。
【請求項２０】
不安障害が、一般的不安障害、パニック障害、衝動制御障害、恐怖障害、外傷後ストレス障害、解離状態（健忘症、夢遊症、解離性同一障害もしくは離人症から選択される）、手術前の不安状態、手術後の不安状態または他の医学的もしくは精神医学的に誘導される不安症状（外傷性脳傷害、慢性疼痛障害もしくは他の慢性疾患症状からもたらされる不安から選択される）から選択される、請求項１もしくは５記載の組成物。
【請求項２１】
不安障害が、一般的不安障害、パニック障害、衝動制御障害、恐怖障害もしくは外傷後ストレス障害から選択される、請求項２０の組成物。
【請求項２２】
不安障害が、外傷後ストレス障害から選択される、請求項２１の組成物。
【請求項２３】
パニック障害が、広場恐怖を有するパニック障害、広場恐怖を有さないパニック障害、予感不安、再発性睡眠パニック発作、苦悩徴候（呼吸困難、頻脈、動悸、頭痛、めまい、感覚異常、窒息、息苦しい感覚、悪心および鼓脹から選択される）または切迫した運命感から選択され；衝動制御障害が、強迫反応障害、食欲亢進、挿話制御困難、毛髪抜去、衝動的賭博および盗癖から選択され；そして恐怖障害が、社会恐怖、全般的社会恐怖、特定社会恐怖、単純恐怖、臨場恐怖、ハチ恐怖、トロポホビア、電光恐怖、１３恐怖、粘液恐怖、海洋恐怖、閉所恐怖、スフェクソホビア、イヌ恐怖、シオホビア、デシドホビア、電気恐怖、スコリオノホビア、広場恐怖、火の恐怖、結婚恐怖、プニゲロホビア、ヘビ恐怖、疼痛恐怖、暗所恐怖、雑踏恐怖、ネズミ恐怖、雷恐怖、カタゲロホビア、カコラフィオホビア、水恐怖、婦人恐怖、ネコ恐怖、渡橋恐怖、高所恐怖もしくは塵埃恐怖から選択される、請求項２１の組成物。
【請求項２４】
衝動制御障害が強迫反応障害である、請求項２３の組成物。
【請求項２５】
治療上有効な量が約０．０１ｍｇ／ｋｇ／用量ないし約１００ｍｇ／ｋｇ／用量である、請求項１もしくは５記載の組成物。
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
治療上有効な量の、式（Ｉ）および式（ＩＩ）：
【化１】
2004523553.tif 000001
［式中、
フェニルは、フッ素、塩素、臭素およびヨウ素よりなる群から選択される１ないし５個のハロゲン原子でＸにおいて置換され；ならびに
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される化合物を含んで成る、
疼痛の治療のための医薬組成物。
【請求項２】
Ｘが塩素である、請求項１の組成物。
【請求項３】
Ｘがフェニル環のオルト位で置換される、請求項１の組成物。
【請求項４】
Ｒ1、Ｒ2、Ｒ3、Ｒ4、Ｒ5およびＲ6が水素から選択される、請求項１の組成物。
【請求項５】
治療上有効な量の式（Ｉ）および式（ＩＩ）よりなる群から選択される１種の鏡像異性体、または式（Ｉ）および式（ＩＩ）よりなる群から選択される一方の鏡像異性体が優勢を占める鏡像異性体の混合物：
【化２】
2004523553.tif 000002
［式中、
フェニルは、フッ素、塩素、臭素およびヨウ素よりなる群から選択される１ないし５個のハロゲン原子でＸにおいて置換され；ならびに
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
を含んで成る、疼痛の治療のための医薬組成物。
【請求項６】
Ｘが塩素である、請求項５の組成物。
【請求項７】
Ｘがフェニル環のオルト位で置換される、請求項５の組成物。
【請求項８】
Ｒ1、Ｒ2、Ｒ3、Ｒ4、Ｒ5およびＲ6が水素から選択される、請求項５の組成物。
【請求項９】
式（Ｉ）および式（ＩＩ）よりなる群から選択される一方の鏡像異性体が約９０％もしくはそれ以上の程度まで優勢を占める、請求項５の組成物。
【請求項１０】
式（Ｉ）および式（ＩＩ）よりなる群から選択される一方の鏡像異性体が約９８％もしくはそれ以上の程度まで優勢を占める、請求項５の組成物。
【請求項１１】
式（Ｉ）および式（ＩＩ）よりなる群から選択される鏡像異性体が、式（Ｉａ）および式（ＩＩａ）：
【化３】
2004523553.tif 000003
［式中、
フェニルは、フッ素、塩素、臭素およびヨウ素よりなる群から選択される１ないし５個のハロゲン原子でＸにおいて置換され；ならびに
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される１種の鏡像異性体である、請求項５の組成物。
【請求項１２】
Ｘが塩素である、請求項１１の組成物。
【請求項１３】
Ｘがフェニル環のオルト位で置換される、請求項１１の組成物。
【請求項１４】
Ｒ1、Ｒ2、Ｒ3、Ｒ4、Ｒ5およびＲ6が水素から選択される、請求項１１の組成物。
【請求項１５】
式（Ｉａ）および式（ＩＩａ）よりなる群から選択される一方の鏡像異性体が約９０％もしくはそれ以上の程度まで優勢を占める、請求項１１の組成物。
【請求項１６】
式（Ｉａ）および式（ＩＩａ）よりなる群から選択される一方の鏡像異性体が約９８％もしくはそれ以上の程度まで優勢を占める、請求項１１の組成物。
【請求項１７】
式（Ｉ）および式（ＩＩ）よりなる群から選択される鏡像異性体が、式（Ｉｂ）および式（ＩＩｂ）：
【化４】
2004523553.tif 000004
よりなる群から選択される１種の鏡像異性体である、請求項５の組成物。
【請求項１８】
式（Ｉｂ）および式（ＩＩｂ）よりなる群から選択される一方の鏡像異性体が約９０％もしくはそれ以上の程度まで優勢を占める、請求項１７の組成物。
【請求項１９】
式（Ｉｂ）および式（ＩＩｂ）よりなる群から選択される一方の鏡像異性体が約９８％もしくはそれ以上の程度まで優勢を占める、請求項１７の組成物。
【請求項２０】
疼痛が、中枢的に媒介される疼痛、末梢的に媒介される疼痛、構造組織傷害によって惹起される疼痛、軟組織傷害によって惹起される疼痛もしくは進行性疾患によって惹起される疼痛から選択される、請求項１もしくは５記載の組成物。
【請求項２１】
疼痛が、急性疼痛もしくは慢性疼痛から選択される、請求項１もしくは５記載の組成物。
【請求項２２】
急性疼痛が、急性傷害、外傷、疾病もしくは手術によって惹起される疼痛から選択される、請求項２１の組成物。
【請求項２３】
手術が、心臓開口もしくはバイパス手術から選択される開胸手術である、請求項２２の組成物。
【請求項２４】
急性疼痛が、手術後の疼痛、腎結石痛、胆嚢痛、胆石痛、産科的疼痛、リウマチ性疼痛、歯痛、またはスポーツ医学的傷害、手根隧道症候群、火傷、筋骨格捻挫および挫傷、筋腱挫傷、頸腕疼痛症候群、消化不良、胃潰瘍、十二指腸潰瘍、月経困難もしくは子宮内膜症によって惹起される疼痛から選択される、請求項２１の組成物。
【請求項２５】
慢性疼痛が、炎症症状、変形性関節炎、類リウマチ関節炎によって惹起される疼痛か、または疾病、急性傷害もしくは外傷に対する続発症としての疼痛から選択される、請求項２１の組成物。
【請求項２６】
慢性疼痛が、上背痛もしくは下背痛（全身的、局部的もしくは原発性背柱疾患からもたらされる背痛（神経根病から選択される）から選択される）、骨痛（変形性関節炎、骨粗鬆症、骨転移もしくは未知の理由による骨の疼痛から選択される）、骨盤痛、脊椎傷害に伴う疼痛、心臓胸部の疼痛、非心臓胸部の疼痛、中枢性脳卒中後の疼痛、筋膜痛、がん疼痛、ＡＩＤＳ痛、鎌状赤血球痛、老人病性疼痛、または頭痛、偏頭痛、三叉神経痛、側頭下顎骨関節症候群、線維筋痛症候群、変形性関節炎、類リウマチ関節炎、痛風、線維組織炎もしくは胸郭出口症候群によって惹起される疼痛から選択される、請求項２１の組成物。
【請求項２７】
治療上有効な量が約０．０１ｍｇ／ｋｇ／用量ないし約１００ｍｇ／ｋｇ／用量である、請求項１もしくは５記載の組成物。
【手続補正書】
【提出日】平成17年1月18日(2005.1.18)
【手続補正１】
【補正対象書類名】明細書
【補正対象項目名】請求項１
【補正方法】変更
【補正の内容】
【請求項１】
置換されていてもよい（ヘテロ）芳香族臭素化合物と第２の反応物との均一に触媒されるＣ−Ｃカップリング反応をパラジウム触媒、非プロトン性双極性溶媒及び塩基の存在において実行する方法であって、該第２の反応物はオレフィン性ｓｐ2炭素原子の上の置換基の少なくとも１が水素原子であるオレフィンの群及び式Ａｒ−Ｂ（ＯＲ1）−ＯＲ2、ここでＡｒは置換されていてもよい（ヘテロ）アリール基を表し、Ｒ1及びＲ2はそれぞれ独立してＨ又はアルキル基を表すか、又はそれらが結合するＯ原子、及びＢ原子と共に２〜５のＣ原子を有する環を形成する、を有する有機ホウ素化合物の群から選択される方法において、パラジウム触媒として配位子のないパラジウム塩が使用されること、及び反応が０.０１〜０.１モル％の、パラジウム塩中に存在するパラジウムの量対置換されていてもよい（ヘテロ）芳香族臭素化合物の比において実行されることを特徴とする方法。
【手続補正２】
【補正対象書類名】明細書
【補正対象項目名】請求項６
【補正方法】変更
【補正の内容】
【請求項６】
パラジウム塩中に存在するパラジウムの量対置換されていてもよい（ヘテロ）芳香族臭素化合物の比が０.０１〜０.０５モル％の間に存在することを特徴とする、請求項１〜５のいずれか１項に記載の方法。
【手続補正３】
【補正対象書類名】明細書
【補正対象項目名】請求項８
【補正方法】変更
【補正の内容】
【請求項８】
相間移動触媒もまた又使用されることを特徴とする、請求項１〜７のいずれか１項に記載の方法。
【手続補正４】
【補正対象書類名】明細書
【補正対象項目名】００２０
【補正方法】変更
【補正の内容】
【００２０】
本発明に従う方法は、そのような反応において慣用であり、例えばＦ．Ｄｉｅｄｅｒｉｃｈ及び  Ｐ．Ｊ．Ｓｔａｎｇ編集“Ｍｅｔａｌ−ｃａｔａｌｙｚｅｄ  Ｃｒｏｓｓ−ｃｏｕｐｌｉｎｇ  ｒｅａｃｔｉｏｎｓ”，Ｗｉｌｅｙ−ＶＣＨ，ワインハイム，１９９８，第２章及び第３章に挙げられている１以上の添加剤の存在において使用され得る。例えば使用され得る添加剤は、相間移動触媒、例えば４級アンモニウム塩、特に塩化又は臭化テトラブチルアンモニウム、臭化トリエチルベンジルアンモニウム、塩化トリオクチルベンジルアンモニウム、臭化テトラプロピルアンモニウム、又は塩化テトラエチルアンモニウム、及びカルボニル化合物、例えば（α）−ジケトン、特に１，２−シクロヘキサンジオン、ヒドロキシケトン、例えば２−ヒドロキシシクロヘキサノン、脂肪族アルデヒド及びベンゾキノンである。
【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
式Ｉ
【化１】
2004523567.tif 000001
の化合物とリンゴ酸との塩。
【請求項２】
請求項１に記載の化合物を少なくとも一つの薬学的に許容される担体もしくは賦形剤と共に含む、医薬組成物。
【請求項３】
請求項１に記載の化合物から製造されるときはいつでも、遊離塩基の形態の請求項１に記載の化合物もしくはリンゴ酸付加塩の形態以外の薬学的に許容される塩の形態を含む医薬組成物。
【請求項４】
請求項１に記載の化合物から製造されるときはいつでも、遊離塩基の形態またはリンゴ酸付加塩以外の形態の、請求項１に記載の化合物。
【手続補正書】
【提出日】平成16年12月20日(2004.12.20)
【手続補正１】
【補正対象書類名】明細書
【補正対象項目名】０１０９
【補正方法】変更
【補正の内容】
【０１０９】
有利な実施形態によれば、ＰＤＳＣＨチャンネル（「Ｐｈｙｓｉｃａｌ  Ｄｏｗｎｌｉｎｋ  Ｓｈａｒｅｄ  Ｃｈａｎｎｅｌ」）が「Ｒａｄｉｏ  Ｌｉｎｋ  Ｓｅｔ−ｕｐ」手順に割り当てられているとき、無線リンクの処理コストに加えて、このＰＤＳＣＨチャンネルに結合された、「ＤＬ  ＲＬ  ｃｏｓｔ」に等しい処理コストが容量クレジットから引き落とされる。同様に、ＰＤＳＣＨチャンネルが削除されると、このコストが容量クレジットから引き落とされ、ＰＤＳＣＨチャンネルが再構成されると、新しいコストと元のコストとの差が容量クレジットに預け入れられる（または、この差がマイナスである場合は預け入れられる）。
【手続補正書】
【提出日】平成16年11月24日(2004.11.24)
【手続補正１】
【補正対象書類名】明細書
【補正対象項目名】００１７
【補正方法】変更
【補正の内容】
【００１７】
測位受信機２０６からのダウンコンバートされた信号は、標本化され量子化されたフォーマットで測位プロセッサ（ｐｏｓｉｔｉｏｎｉｎｇ  ｐｒｏｃｅｓｓｏｒ）（ＰｏＰ）２０９に接続される。ＰｏＰ  ２０９は、これらの信号を処理して位置推定値を計算するために要求される測定値を発生させる。ＧＰＳ受信機の実施例におけるこの動作には、疑似雑音コード（ＰＮ）と着信信号の相関をとり、それぞれのＧＰＳ衛星から受信機２０６までの移動時間（ｔｉｍｅ−ｔｏ−ｔｒａｎｓｉｔ）を決定することが含まれる。
【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
一つ又は数個の受信アンテナを用いた、少なくともパルス振幅変調又は二進ＣＰＭ（連続位相変調）を含むＴＤＭＡ及び／又はＦＤＭＡ伝送のための干渉抑制の方法であって、
ａ）少なくとも一つの出力信号ｙｉ［ｋ］の生成のために複素数値係数ｆｉ［ｋ］を有するフィルタによって受信アンテナの少なくとも一つの複素数値受信信号ｒｉ［ｋ］をフィルタリングするステップと、
ｂ）これに続いて、この出力信号ｙｉ［ｋ］に割り当てられた、方向ベクトル
【数１】
2004523154.tif 000001
の次元が受信アンテナの数量とは独立に２である前記方向ベクトル
【数２】
2004523154.tif 000002
への少なくとも一つの出力信号ｙｉ［ｋ］の少なくとも一つの射影を形成するステップと、
を含み、
射影Ｐｉの数が１である場合に、
ｃ１）前記射影Ｐｉを検出装置に供給するステップと、
又は、射影Ｐｉの数が２以上である場合に、
ｄ１）合計信号ｓ[ｋ]を形成するために前記射影Ｐｉの大部分を合計するステップと、
ｄ２）前記合計信号ｓ［ｋ］を検出装置に供給するステップと、
を含むことを特徴とする干渉抑制の方法。
【請求項２】
ステップｃ１）及び／又はステップｄ２）においてひずみを修正するために検出装置が開発されることを特徴とする請求項１記載の方法。
【請求項３】
ステップｄ１）において前記合計信号ｓ［ｋ］を形成するためのすべての射影Ｐｉが合計されることを特徴とする請求項１又は２記載の方法。
【請求項４】
少なくとも二つの受信信号ｒｉ［ｋ］が存在し、ステップｂ）において関連する少なくとも二つの出力ｙｉ［ｋ］が同じ方向ベクトルに射影されることを特徴とする前記請求項のいずれかに記載の方法。
【請求項５】
ステップａ）において受信信号のフィルタリングには実数値フィードバック・フィルタを有するＤＦＥのフィードフォワード・フィルタが使用され、これらのフィルタは基準ＺＦ、ＭＭＳＥ、最大信号対雑音比又はインパルス切捨てにしたがって最適化されることを特徴とする前記請求項のいずれかに記載の方法。
【請求項６】
前記射影後の信号は前記フィルタ係数の最適化のために利用されることを特徴とする前記請求項のいずれかに記載の方法。
【請求項７】
前記少なくとも一つの複素数値フィルタのフィルタ係数の調整のために、適応アルゴリズムが使用されることを特徴とする前記請求項のいずれかに記載の方法。
【請求項８】
前記フィルタ係数の調整のための前記適応アルゴリズムは受信器側で知られたトレーニング・シーケンスを利用することを特徴とする請求項７記載の方法。
【請求項９】
受信器側で知られたトレーニング・シーケンスを使用することなく前記フィルタ係数の調整のために、適応アルゴリズムが使用されることを特徴とする請求項７記載の方法。
【請求項１０】
少なくとも一つのフィルタリングされた出力信号ｙｉ［ｋ］の射影の対応する直交成分が計算されることを特徴とする前記請求項のいずれかに記載の方法。
【請求項１１】
抑制すべき干渉は、送信アンテナ・ダイバーシティの場合に送信信号の少なくとも一部によって表されることを特徴とする請求項１から１０のいずれかに記載の方法。
【請求項１２】
少なくともパルス振幅変調又はＣＰＭ（連続パルス変調）を含むＴＤＭＡ及び／又はＦＤＭＡ伝送のための干渉抑制のシステムであって、
一つ又は数個の受信アンテナと、
少なくとも一つの出力信号ｙｉ［ｋ］の生成のために一つの受信アンテナの少なくとも一つの複素数値受信信号ｒｉ［ｋ］をフィルタリングするために設計された、複素数値係数ｆｉ［ｋ］を有する少なくとも一つのフィルタ装置と、
を含み、さらに前記システムは、
この出力信号ｙｉ［ｋ］に割り当てられた、方向ベクトル
【数３】
2004523154.tif 000003
の次元が受信アンテナの数とは独立に２である前記方向ベクトル
【数４】
2004523154.tif 000004
への前記少なくとも一つの出力信号ｙｉ［ｋ］の射影Ｐｉを形成するための、少なくとも一つの出力信号ｙｉ［ｋ］が結合される少なくとも一つの射影装置と、
射影Ｐｉの数が１である場合に、
前記射影Ｐｉの出力信号が結合される検出装置、
又は、射影Ｐｉの数が２以上である場合に
合計信号ｓ［ｋ］を形成するために前記射影Ｐｉの大部分を合計するための合計装置と、
前記合計信号ｓ［ｋ］が結合される検出装置と、
を含むことを特徴とする干渉抑制のシステム。
【請求項１３】
一つ又は数個の受信アンテナと協働し、少なくともパルス振幅変調又は二進ＣＰＭ（連続位相変調）を含むＴＤＭＡ及び／又はＦＤＭＡ伝送のために干渉抑制するように設計された受信器であって、
少なくとも一つの出力信号ｙｉ［ｋ］の生成のために一つの受信アンテナの少なくとも一つの複素数値受信信号ｒｉ［ｋ］をフィルタリングするために設計された、複素数値係数ｆｉ［ｋ］を有する少なくとも一つのフィルタ装置と、
を含み、さらに前記受信器は、
この出力信号ｙｉ［ｋ］に割り当てられた、方向ベクトル
【数５】
2004523154.tif 000005
の次元が受信アンテナの数とは独立に２である前記方向ベクトル
【数６】
2004523154.tif 000006
への前記少なくとも一つの出力信号ｙｉ［ｋ］の射影Ｐｉを形成するための、少なくとも一つの出力信号ｙｉ［ｋ］が結合される少なくとも一つの射影装置と、
射影Ｐｉの数が１である場合に、
前記射影Ｐｉの出力信号が結合される検出装置、
又は、射影Ｐｉの数が２以上である場合に
合計信号ｓ［ｋ］を形成するために前記射影Ｐｉの大部分を合計するための合計装置と、
前記合計信号ｓ［ｋ］が結合される検出装置と、
を含むことを特徴とする受信器。
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
ウェハ基板の結晶面を該結晶面上のリソグラフィの構造にアライメントするためのアライメント方法であって、次のステップ：
（ａ）基板の周辺にあるフラットの一つの角度方位の測定；
（ｂ）前記基板の結晶学的な面方位の測定；及び
（ｃ）前記フラットの前記角度方位と前記結晶学的方位との間の誤差角の特定；及び、これに続く、
（ｄ）リソグラフィツール内での前記フラットに対する角度的な位置合わせ；次いで、
（ｅ）前記誤差角による前記基板の回転；及び、次いで、
（ｆ）前記リソグラフィツールを用いた前記基板上における一つ以上の構造層の形成、ならびにそのための前記一つ以上の構造層の前記結晶学的な面方位に対する角度的なアライメント
を有していることを特徴とするアライメント方法。
【請求項２】
請求項１に記載の方法において、
前記誤差角を、後続の製造プロセスを通じて前記ウェハ基板に付随する一つのパラメータとすることを特徴とする方法。
【請求項３】
請求項２に記載の方法において、
請求項１のステップ（ｆ）が前記後続の製造プロセスを含んでいることを特徴とする方法。
【請求項４】
請求項１から請求項３のいずれか１項に記載の方法において、
前記結晶学的な面方位をＸ線回折手段を用いて測定することを特徴とする方法。
【請求項５】
請求項１から請求項４のいずれか１項に記載の方法において、
前記Ｘ線回折手段を、前記基板の周辺縁部を調べるように動作可能にすることを特徴とする方法。
【請求項６】
請求項１から請求項５のいずれか１項に記載の方法において、
前記Ｘ線回折手段に、Ｘ線放射線を生成するためのＸ線源、該Ｘ線放射線を前記基板に向けられたＸ線ビームに成形するためのビーム調整器、及び前記基板から放射される、前記ビームの回折された部分を受けるためのＸ線検出器を設けることを特徴とする方法。
【請求項７】
請求項６に記載の方法において、
前記基板を回す際に、前記検出器におけるＸ線放射線のカウント数を最大にすることによって、前記基板の結晶学的方位を特定することを特徴とする方法。
【請求項８】
ウェハ基板をアライメントするためのアライメント方法を実施するための装置であって、
（ａ）ウェハ基板上の周辺にある一つ以上のフラットの角度方位を測定するための第１の測定手段；
（ｂ）基板の結晶学的方位を測定するための第２の測定手段であって、Ｘ線放射線のカウント数を最大にすることによって前記基板の結晶学的方位を測定するのに適したX線回折装置を備えた第２の測定手段；及び
（ｃ）前記第１及び第２の測定手段に対して前記基板を相対的に回転するための基板回転手段
を備えている装置。
【請求項９】
請求項８のいずれか１項に記載の装置において、
前記ウェハ基板上のウェハ・フラットと前記ウェハ基板の結晶学的方位との間の誤差角を特定するように構成されていることを特徴とする装置。
【請求項１０】
請求項８又は請求項９に記載の装置において、
請求項１に記載のアライメント方法を実施するように構成されていることを特徴とする装置。
【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
レーザの光軸に沿って実質的に直線的な関係で配置される、複数の光学活性領域と、複数の光学受動領域と、を備える半導体広範囲レーザ装置であって、
それぞれの光学活性領域は量子井戸構造を含み、互いに隣接する光学活性領域は、それぞれ量子井戸混合された光学受動領域によって互いに一定の間隔で隔てられ、
それぞれの光学受動領域は空間モードフィルタとして働く回折領域を形成し、より高次のモードの回折損失によって実質的単一横モードの出力を選択的に生じる半導体広範囲レーザ装置。
【請求項２】
それぞれの光学活性領域は対応する電流注入領域と機能的に関係することを特徴とする請求項１に記載の半導体レーザ装置。
【請求項３】
前記電流注入領域は、前記装置の表面上で互いに実質的に直線的な関係で配置されることを特徴とする請求項２に記載の半導体レーザ装置。
【請求項４】
前記電流注入領域は、隣接領域に対し実質的に間隔をあけられていることを特徴とする請求項２又は３に記載の半導体レーザ装置。
【請求項５】
前記複数の電流注入領域の最初領域及び最終領域はそれぞれ前記装置の第１及び第２の端から離されていることを特徴とする請求項３又は４に記載の半導体レーザ装置。
【請求項６】
前記光学活性領域は、量子井戸構造を含む活性なレーザ光放出材料を有する光学活性層内に設けられていることを特徴とする請求項２に記載の半導体レーザ装置。
【請求項７】
前記量子井戸構造は電流注入領域に対応する前記光学活性層の領域内に維持され、一方、前記電流注入領域間の光学活性層の領域は量子井戸混合されていることを特徴とする請求項６に記載の半導体レーザ装置。
【請求項８】
前記複数の電流注入領域の最初領域と前記装置の前記第１の端との間及び前記複数の電流注入領域の最終領域と前記装置の前記第２の端との間の前記光学活性層の領域は量子井戸混合されていることを特徴とする請求項６又は７に記載の半導体レーザ装置。
【請求項９】
前記複数の電流注入領域に境を接する前記光学活性層の領域は量子井戸混合されていることを特徴とする請求項７又は８に記載の半導体レーザ装置。
【請求項１０】
前記光学活性及び光学受動領域は第１の光クラッド層と第２の光クラッド層との間の光ガイド層内に設けられることを特徴とする請求項１から９のいずれか一項に記載の半導体レーザ装置。
【請求項１１】
峰部が少なくとも前記第２の光クラッド層内に形成され、前記装置の前記第１の端から前記装置の前記第２の端へ縦方向に延びることを特徴とする請求項６に記載の半導体レーザ装置。
【請求項１２】
前記量子井戸混合された領域は前記光学活性領域よりも大きな禁制帯幅を有することを特徴とする請求項１から１１のいずれか一項に記載の半導体レーザ装置。
【請求項１３】
前記装置は一体構造であり、前記装置は基板を含み、該基板上に前記第１の光クラッド層、コア層及び前記第２の光クラッド層がそれぞれ設けられることを特徴とする請求項１から１２のいずれか一項に記載の半導体レーザ装置。
【請求項１４】
前記半導体レーザ装置はIII―Ｖ族の半導体材料系で製造されることを特徴とする請求項１から１３のいずれか一項に記載の半導体レーザ装置。
【請求項１５】
前記III―Ｖ族の半導体材料系はガリウム-砒素（ＧａＡｓ）、アルミニウム-ガリウム-砒素（ＡｌＧａＡｓ）、アルミニウム-ガリウム-インジウム-燐（ＡｌＧａＩｎＰ）及びインジウム-燐（ＩｎＰ）から選ばれることを特徴とする請求項１４に記載の半導体レーザ装置。
【請求項１６】
前記第１及び第２の組成的に乱雑にされた材料は実質的にインジウム-ガリウム-砒素（ＩｎＧａＡｓ）を有することを特徴とする請求項１４に記載の半導体レーザ装置。
【手続補正２】
【補正対象書類名】明細書
【補正対象項目名】０００６
【補正方法】変更
【補正の内容】
【０００６】
本発明の第１の側面によれば、レーザの光軸に沿って実質的に直線的な関係で配置される、複数の光学活性領域と、複数の光学受動領域と、を備える半導体広範囲レーザ装置であって、それぞれの光学活性領域は量子井戸構造を含み、互いに隣接する光学活性領域は、それぞれ量子井戸混合（ＱＷＩ）された光学受動領域によって互いに一定の間隔で隔てられ、それぞれの光学受動領域は空間モードフィルタとして働く回折領域を形成し、より高次のモードの回折損失によって実質的単一横モードの出力を選択的に生じる半導体広範囲レーザ装置が与えられる。
【手続補正３】
【補正対象書類名】明細書
【補正対象項目名】００１３
【補正方法】変更
【補正の内容】
【００１３】
好ましくは、量子井戸構造は電流注入領域に対応する光学活性層の領域内に維持され、一方、電流注入領域間の光学活性層の領域は量子井戸混合（ＱＷＩ）されている。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正書】
【提出日】平成15年9月16日(2003.9.16)
【手続補正１】
【補正対象書類名】明細書
【補正対象項目名】０００２
【補正方法】変更
【補正の内容】
【０００２】
無線放送受信器である今日のカーラジオは、しばしばＣＤドライブを有している。ナビゲーション装置もまたＣＤ−ＲＯＭドライブを有し、このＣＤ−ＲＯＭドライブで、オーディオＣＤを再生することができる。
先行文献として、ＥＰ９５２７３４Ａ２、ＥＰ６４８０４５、ＷＯ００/４１３８、ＤＥ１０９０１７３３Ａ１およびＥＰ９６７７９７Ａ２が挙げられる。
【手続補正２】
【補正対象書類名】特許請求の範囲
【補正対象項目名】全文
【補正方法】変更
【補正の内容】
【特許請求の範囲】
【請求項１】
ビデオデータを表示するための方法において、
ビデオデータをカーラジオ（１）のデータ担体（１０）から、少なくとも１つの電子携帯機器（４）へ伝送することによって伝送し、
ビデオデータを、前記少なくとも１つの電子携帯機器（４）によってデコーディングし、表示部（５）によって表示することを特徴とする方法。
【請求項２】
少なくとも１つの電子携帯機器（４）から、カーラジオ（１）のデータ担体（１０）にアクセスするために制御データを該カーラジオ（１）へ伝送する、請求項１記載の方法。
【請求項３】
カーラジオ（１）自体が、ビデオデータに所属するオーディオデータをデコーディングし、音響的に再生するための手段によって再生する、請求項１または２記載の方法。
【請求項４】
少なくとも１つの電子携帯機器（４）は、音響的に再生するために、ビデオデータに所属するオーディオデータをカーラジオ（１）へ伝送し戻す、請求項１または２記載の方法。
【請求項５】
少なくとも１つの電子携帯機器（４）自体が、ビデオデータに所属するオーディオデータをデコーディングし、スピーカ（２３）によって再生する、請求項１または２記載の方法。
【請求項６】
カーラジオにおいて、
データ担体（１０）のための読み出し装置（２）と、オーディオデータをデコーディングするための第１のプロセッサ（８）と、データを伝送するための第１のインターフェース（１１，１２）と、オーディオデータを再生するための手段（２０，２１）とが設けられており、
前記第１のインターフェース（１１，１２）は、少なくとも１つの電子携帯機器（４）からデータを伝送し、かつ前記少なくとも１つの電子携帯機器（４）へデータを伝送するために使用されることを特徴とする、請求項１から５までのいずれか１項記載の方法を実施するための無線放送受信器。
【請求項７】
電子携帯機器において、
データを伝送するための第２のインターフェース（１３，１４）と、ビデオデータをデコーディングするための第２のプロセッサ（１５）と、ビデオデータを再生するための表示部（５）とが設けられており、
前記第２のインターフェース（１３，１４）は、カーラジオ（１）からデータを伝送し、かつ前記カーラジオ（１）へデータを伝送するために使用されることを特徴とする、請求項１から４までのいずれか１項記載の方法を実施するための電子携帯機器。
【請求項８】
請求項５記載の方法を実施するための電子携帯機器において、
第２のプロセッサ（１５）はオーディオデータをデコーディングするために構成されており、
該電子携帯機器（４）、はオーディオデータを音響的に再生するための手段（２２，２３）に接続されている、請求項７記載の電子携帯機器。